(57)【特許請求の範囲】
【請求項１】
表示装置の画面上に置かれた印刷物と比較する画像を表示画像として表示装置に出力する画像処理装置であって、
前記表示画像の周囲に所定の色の第１背景画像を付加する付加手段と、
前記第１背景画像と同じ色の画像であって、前記印刷物の背景となる画像である第２背景画像を生成する生成手段と、
前記第１背景画像が付加された表示画像及び前記第２背景画像を表示装置に出力する出力手段と、
を有することを特徴とする画像処理装置。
【請求項２】
表示装置の画面上に置かれた印刷物の位置を検出する検出手段を更に有し、
前記生成手段は、前記検出手段で検出された位置に前記第２背景画像を生成する
ことを特徴とする請求項１に記載の画像処理装置。
【請求項３】
前記検出手段は、表示装置の画面上に置かれた印刷物の大きさを更に検出し、
前記生成手段は、前記検出手段で検出された位置に、前記検出手段で検出された大きさより大きい前記第２背景画像を生成する
ことを特徴とする請求項２に記載の画像処理装置。
【請求項４】
前記出力手段は、前記第１背景画像が付加された表示画像と前記第２背景画像とを、それぞれ異なる表示装置に出力する
ことを特徴とする請求項１〜３のいずれか１項に記載の画像処理装置。
【請求項５】
表示装置の画面上に置かれた印刷物と比較する画像を表示画像として表示装置に出力する画像処理装置の制御方法であって、
前記表示画像の周囲に所定の色の第１背景画像を付加する付加ステップと、
前記第１背景画像と同じ色の画像であって、前記印刷物の背景となる画像である第２背景画像を生成する生成ステップと、
前記第１背景画像が付加された表示画像及び前記第２背景画像を表示装置に出力する出力ステップと、
を有することを特徴とする画像処理装置の制御方法。
【請求項６】
表示装置の画面上に置かれた印刷物の位置を検出する検出ステップを更に有し、
前記生成ステップでは、前記検出ステップで検出された位置に前記第２背景画像を生成する
ことを特徴とする請求項５に記載の画像処理装置の制御方法。
【請求項７】
前記検出ステップでは、表示装置の画面上に置かれた印刷物の大きさを更に検出し、
前記生成ステップでは、前記検出ステップで検出された位置に、前記検出ステップで検出された大きさより大きい前記第２背景画像を生成する
ことを特徴とする請求項６に記載の画像処理装置の制御方法。
【請求項８】
前記出力ステップでは、前記第１背景画像が付加された表示画像と前記第２背景画像とを、それぞれ異なる表示装置に出力する
ことを特徴とする請求項５〜７のいずれか１項に記載の画像処理装置の制御方法。
【発明の詳細な説明】
【技術分野】
【０００１】
本発明は、画像処理装置及びその制御方法に関する。
【背景技術】
【０００２】
近年、ディスプレイ装置（表示装置）の画面の大型化に伴い、画像が印刷された印刷物を画面上に置いて、画面に表示された画像（表示画像）と印刷物とを見比べることがされるようになってきた。
また、表示画像と印刷物の色を合わせる技術が提案されている（特許文献１）。具体的には、特許文献１には、表示装置の発色特性に応じた色変換を施した画像を表示画像として画面に表示し、表示画像の周囲の色を所定の色にする技術が開示されている。
【先行技術文献】
【特許文献】
【０００３】
【特許文献１】特開平９−１８６８９６号公報
【発明の概要】
【発明が解決しようとする課題】
【０００４】
しかしながら、上述した特許文献１に開示の技術では、印刷物の周囲の色は考慮されていない。そのため、印刷物を画面上に置いた際に、印刷物の周囲の色と、表示画像の周囲の色が異なることがある。このような色の違いがあると、印刷物と表示画像の色を正確に比較することが困難となってしまう。
【０００５】
本発明は、印刷物と表示画像の色を正確に比較することができる技術を提供することを目的とする。
【課題を解決するための手段】
【０００６】
本発明の画像処理装置は、表示装置の画面上に置かれた印刷物と比較する画像を表示画像として表示装置に出力する画像処理装置であって、前記表示画像の周囲に所定の色の第１背景画像を付加する付加手段と、前記第１背景画像と同じ色の画像であって、前記印刷物の背景となる画像である第２背景画像を生成する生成手段と、前記第１背景画像が付加された表示画像及び前記第２背景画像を表示装置に出力する出力手段と、を有することを特徴とする。
【０００７】
本発明の画像処理装置の制御方法は、表示装置の画面上に置かれた印刷物と比較する画像を表示画像として表示装置に出力する画像処理装置の制御方法であって、前記表示画像の周囲に所定の色の第１背景画像を付加するステップと、前記第１背景画像と同じ色の画像であって、前記印刷物の背景となる画像である第２背景画像を生成するステップと、前記第１背景画像が付加された表示画像及び前記第２背景画像を表示装置に出力するステップと、を有することを特徴とする。
【発明の効果】
【０００８】
本発明によれば、印刷物と表示画像の色を正確に比較することができる。
【図面の簡単な説明】
【０００９】
【図１】実施例１に係る画像処理装置の機能構成の一例を示す図。
【図２】ウィンドウ生成部が生成するウィンドウの一例を示す図。
【図３】表示画像と印刷物をユーザが比較する際の動作の流れの一例を示す図。
【図４】表示画像と印刷物をユーザが比較する際の画面上の状態の一例を示す図。
【図５】実施例２に係る画像処理装置の機能構成の一例を示す図。
【図６】表示画像と印刷物をユーザが比較する際の動作の流れの一例を示す図。
【図７】表示画像と印刷物をユーザが比較する際の画面上の状態の一例を示す図。
【図８】実施例３に係る画像処理装置の機能構成の一例を示す図。
【図９】表示画像と印刷物をユーザが比較する際の動作の流れの一例を示す図。
【図１０】表示画像と印刷物をユーザが比較する際の画面上の状態の一例を示す図。
【発明を実施するための形態】
【００１０】
＜実施例１＞
以下、本発明の実施例１に係る画像処理装置及びその制御方法について詳細に説明する。本実施例に係る画像処理装置は、表示装置の画面上に置かれた印刷物（画像が印刷された印刷物）と比較する画像を表示画像として表示装置に出力する。図１は、本実施例に係る画像処理装置の機能構成の一例を示すブロック図である。
【００１１】
図１において、操作部１０１は、キーボードやマウスなどの入力装置である。ユーザは、操作部１０１を用いて指示を入力することにより、画像処理装置を操作することができる。ユーザが操作部１０１を用いて入力した指示（操作情報）は、データバス１０４を介してウィンドウ生成部１０５、背景色画像生成部１０６に伝送される。
記憶部１０２は、ＨＤＤ（Hard disk drive）、ＳＳＤ（Flash Solid State Disk）、
メモリーカードなどの記憶装置である。記憶部１０２には、ＣＰＵ１０３が実行するプログラム、ウィンドウ生成部１０５に読み出される画像が格納されている。
ＣＰＵ１０３は、記憶部１０２に記憶されたＯＳ（Operating System）やアプリケーションなどのプログラムをデータバス１０４を介して読み出し、読み出したプログラムを実行する。ＣＰＵ１０３は、プログラムを実行するとＧＵＩ（Graphical User Interface）を生成し映像信号として出力する。
データバス１０４は、ユーザが操作部１０１を用いて入力した操作情報、記憶部１０２に記憶されたプログラムや画像などを伝送するバスである。
【００１２】
ウィンドウ生成部１０５は、表示画像の周囲に所定の色の第１背景画像を付加する。例えば、ウィンドウ生成部１０５は、画像を閲覧するための画像閲覧ソフトウェアや画像を編集するための画像編集ソフトウェアなどである。なお、ウィンドウ生成部１０５は、記憶部１０２に記憶され、ＣＰＵ１０３によって実行されるアプリケーションプログラムであっても良い。ウィンドウ生成部１０５は、ＣＰＵ１０３とは異なるハードウェアで構成されていても良い。本実施例では、ウィンドウ生成部１０５は、ウィンドウ１１０（図２）を生成する。そして、ウィンドウ１１０のデータとＣＰＵ１０３からの映像信号とを、ＣＰＵ１０３からの映像信号に基づく映像上にウィンドウ１１０が重なるように合成し、映像信号として背景色画像生成部１０６に出力する。また、ウィンドウ生成部１０５は、図２の背景領域１１２（第１背景画像の領域）の色及び大きさを表す信号を、データバス１０４を介して背景色画像生成部１０６に出力する。なお、背景領域１１２の大きさはどのように定義してもよい。例えば、背景領域１１２が矩形の場合、画面水平方向及び垂直方向のそれぞれについて、背景領域１１２の画素数の最大値を背景領域１１２の大きさとすればよい。背景領域１１２が円形の場合には、その半径や直径などを表す画素数を背景領域１１２の大きさとすればよい。
【００１３】
図２に、ウィンドウ生成部１０５が生成するウィンドウ１１０の一例を示す。図２において、ウィンドウ１１０は、表示画像生成領域１１１、背景領域１１２、ウィンドウ操作バー１１３、メニューバー１１４、ツールバー１１５から構成される。
【００１４】
ウィンドウ生成部１０５は、記憶部１０２からデータバス１０４を介して画像を読み出
し、読み出した画像を表示画像（表示部１０７で表示する画像）として表示画像生成領域１１１に生成する。表示画像生成領域１１１に生成する画像は、例えば、写真や絵などの画像である。なお、表示画像生成領域１１１に生成する画像は、図示しない通信手段によってネットワークを介して受信した画像であっても良い。
【００１５】
背景領域１１２は、表示画像生成領域１１１を囲み、表示画像の背景となる領域（第１背景画像の領域）である。ウィンドウ生成部１０５は、背景領域１１２の色（第１背景画像の色；表示画像の背景色）を設定する。それにより、表示画像の周囲に、設定された色の第１背景画像が付加される。背景色は、例えば、Ｒ値，Ｇ値，Ｂ値で表され、Ｒ値，Ｇ値，Ｂ値は、それぞれ、０から２５５の値を取り得る。本実施例では、背景色の初期状態を、白やグレーなど所定の色とする。そして、ユーザが操作部１０１を用いてメニューバー１１４を操作することにより背景色を変更可能とする。なお、背景色は、Ｒ値，Ｇ値，Ｂ値でなく、輝度値（Ｙ値），色差値（Ｃｂ，Ｃｒ値）などで表されてもよい。また、各値の階調数は２５６でなく、１２８や５１２などであってもよい。
【００１６】
ウィンドウ操作バー１１３は、ウィンドウ１１０の大きさの変更、ウィンドウ１１０の表示・非表示などを行うためのボタンを有する。ユーザは、操作部１０１を用いてウィンドウ操作バー１１３に配置されたボタン（図中、右端に配置されたボタン）を選択することにより、ウィンドウ１１０の大きさの変更や、ウィンドウ１１０の表示・非表示を行うことができる。
【００１７】
メニューバー１１４は、表示画像の選択、背景色の変更などを行うためのボタンを有する。ユーザは、操作部１０１を用いてメニューバー１１４に配置されたボタンを選択することにより、表示画像生成領域１１１に生成する画像の選択や、背景領域１１２の色の変更を行うことができる。
【００１８】
ツールバー１１５は、表示画像の明るさやカラーバランスなどの画質を調整するためのボタンを有する。ユーザは、操作部１０１を用いてツールバー１１５に配置されたボタンを選択することにより、表示画像生成領域１１１に生成された画像の画質を調整することができる。
【００１９】
背景色画像生成部１０６は、第１背景画像（背景領域１１２）と同じ色の画像であって、印刷物の背景となる画像である第２背景画像（背景色画像）を生成する。具体的には、背景色画像生成部１０６は、ウィンドウ生成部１０５から背景領域１１２の色及び大きさを表す信号を受信し、該色及び大きさに応じて背景色画像を生成する。例えば、背景領域１１２と同じ色及び大きさの背景色画像を生成する。そして、背景色画像のデータとウィンドウ生成部１０５からの映像信号とを、ウィンドウ生成部１０５からの映像信号に基づく映像上に背景色画像が重なるように合成し、映像信号として表示部１０７（表示装置）に出力する。即ち、背景色画像生成部１０６は、第１背景画像が付加された画像と第２背景画像とを表示装置に出力する。
【００２０】
表示部１０７は、背景色画像生成部１０６から出力された映像信号に基づく映像を表示する表示装置である。表示部１０７は、例えば、表示素子として、電子放出素子、液晶素子、プラズマ素子、有機ＥＬ素子などを有する表示装置である。ユーザは、表示部１０７に表示された映像を見ながら、操作部１０１を使って画像処理装置を操作することができる。なお、表示部１０７は、画像処理装置の一部であってもよいし、画像処理装置とは独立した装置であってもよい。
【００２１】
以下、図３のフローチャートを参照して、表示部１０７に表示された表示画像と表示部１０７の画面上に置いた印刷物をユーザが比較する際の動作の流れについて説明する。
まず、ステップ１１において、ユーザは、操作部１０１を用いてウィンドウ生成部１０５で生成されたウィンドウ１１０のメニューバー１１４を操作し、ウィンドウ１１０の表示画像生成領域１１１に生成する画像１を表示画像として選択する。
【００２２】
次に、ステップ１２において、ウィンドウ生成部１０５が、選択された画像１を記憶部１０２からデータバス１０４を介して読み出す。ウィンドウ生成部１０５は、読み出した画像１をウィンドウ１１０の表示画像生成領域１１１に生成する。
そして、ステップ１３において、ウィンドウ生成部１０５が、ウィンドウ１１０の背景領域１１２の色を所定の色（Ｒ＝１２８，Ｇ＝１２８，Ｂ＝１２８）に設定する。
【００２３】
図４（Ａ）は、ウィンドウ生成部１０５が生成したウィンドウ１１０（画像１が生成され、背景領域１１２の色が所定の色とされたウィンドウ）の表示部１０７での表示例（ステップ１３直後に表示部１０７に表示される映像の一例）を示す。図４（Ａ）に示すように、ウィンドウ１１０の表示画像生成領域１１１に画像１が表示される。画像１の周囲には背景領域１１２が表示され、背景領域１１２の色は所定の色（Ｒ＝１２８，Ｇ＝１２８，Ｂ＝１２８）に設定される。ウィンドウ生成部１０５は、背景領域１１２の色（Ｒ＝１２８，Ｇ＝１２８，Ｂ＝１２８）と大きさを背景色画像生成部１０６に出力する。
【００２４】
図３のステップ１４では、背景色画像生成部１０６が、ウィンドウ生成部１０５から出力される背景領域１１２の色及び大きさに応じて背景色画像を生成する。
図４（Ｂ）は、背景色画像生成部１０６が生成した背景色画像の表示部１０７での表示例（ステップ１４直後に表示部１０７に表示される映像の一例）を示す。図４（Ｂ）に示すように、背景色画像生成部１０６が生成する背景色画像１２０は、ウィンドウ１１０から離れた位置（ウィンドウ１１０の左隣）に表示される。背景色画像１２０の色及び大きさは、それぞれ、背景領域１１２の色及び大きさと同じにされる。
【００２５】
図３のステップ１５では、ユーザが、画像１が印刷された印刷物２を背景色画像１２０に重なるように（印刷物２が背景色画像１２０で囲まれるように）置く。
図４（Ｃ）は、印刷物２を背景色画像１２０上に置いた後の表示部１０７（画面上）の状態の一例（ステップ１５直後の画面上の状態の一例）を示す。図４（Ｃ）に示すように、表示された画像１の周囲には、背景領域１１２が位置し、印刷物２の周囲には、背景色画像１２０が位置する。背景領域１１２と背景色画像１２０の色は、いずれも、Ｒ＝１２８，Ｇ＝１２８，Ｂ＝１２８である。即ち、画像１の背景色と印刷物２の背景色が一致する。
なお、上述したように、ユーザは、ウィンドウ１１０のメニューバーを操作して、表示された画像１の背景色を変更することができる。
【００２６】
図３のステップ１６では、ウィンドウ生成部１０５が、ユーザが画像１の背景色（Ｒ値，Ｇ値，Ｂ値）を変更したか否かを判断する。ユーザが画像１の背景色を変更した場合には（ステップ１６：Ｙｅｓ）、ステップ１７に進む。
ステップ１７では、ウィンドウ生成部１０５が、背景領域１１２の色を、ユーザが設定した背景色（例えば、Ｒ＝０，Ｇ＝０，Ｂ＝０）に変更する。ウィンドウ生成部１０５は、変更後の背景色（Ｒ＝０，Ｇ＝０，Ｂ＝０）を背景色画像生成部１０６に出力する。
次に、ステップ１８において、背景色画像生成部１０６は、背景色画像１２０の色を、ウィンドウ生成部１０５から出力された背景色（Ｒ＝０，Ｇ＝０，Ｂ＝０）に変更する。
なお、ユーザが画像１の背景色を変更していない場合には（ステップ１６：Ｎｏ）、ステップ１７，１８の処理は行わない。そのため、画像１の背景色、及び、印刷物２の背景色は、Ｒ＝１２８，Ｇ＝１２８，Ｂ＝１２８のままとなる。
【００２７】
以上述べたように、本実施例によれば、周囲に第１背景画像（背景領域１１２）が付加
された表示画像と第２背景画像（背景色画像１２０）とが表示装置に出力される。そして、印刷物を第２背景画像が背景となるように画面上に置くことにより、印刷物の背景色と表示画像の背景色を同じ色にすることができる。その結果、印刷物と表示画像の色を正確に比較することができる。
【００２８】
なお、本実施例では、第１背景画像と第２背景画像とが単一色の場合について説明したが、それらの画像は単一色でなくてもよい。第１背景画像と第２背景画像は、数字、文字、記号、図形、（写真や風景などの）画像などを含む画像であってもよい。第１背景画像と第２背景画像の色（背景色）は、表示部１０７の設置環境（例えば、周囲の明るさ等）に応じて変わるように制御されてもよい。例えば、背景色は、表示部１０７の周囲の照度が高い場合に明るく、低い場合に暗くなるように制御されてもよい。
また、表示部１０７の設置態様は特に限定されない。例えば、地面に対して垂直に設置されていてもよいし、地面に対して水平に設置されていてもよい。具体的には、表示部１０７はテーブルのように画面を上向きとして地面に対して水平に設置されていてもよい。
なお、図４（Ｂ）では、背景色画像１２０の形状を背景領域１１２と同じ大きさの矩形状としたが、背景色画像１２０の大きさや形状はこれに限らない。例えば、背景色画像１２０は、円形状や多角形状の画像であってもよい。印刷物２の背景となる大きさであれば（印刷物２よりも大きければ）、背景色画像１２０の大きさや形状はどのように設定されてもよい。
なお、図４（Ｂ）では、背景色画像１２０がウィンドウ１１０から離れた位置に表示されるものとしたが、背景色画像１２０やウィンドウ１１０の表示位置はどのような位置であってもよい。ユーザが、操作部１０１を用いてそれらの位置を変更可能としてもよい。
【００２９】
＜実施例２＞
以下、本発明の実施例２に係る画像処理装置について詳細に説明する。本実施例では、画像処理装置が、表示装置の画面上に置かれた印刷物の位置を自動で検出する。以下、実施例１と異なる点を中心に説明する。
【００３０】
図５は、本実施例に係る画像処理装置の機能構成の一例を示すブロック図である。図５において、実施例１と同じ機能については同じ符号を付し、その説明は省略する。
図５において、印刷物検出部２０１は、表示装置の画面上に置かれた印刷物の位置及び大きさを検出する。本実施例では、印刷物検出部２０１は、表示部１０７の画面上にマトリクス状に配置された、画面に照射する照明光を検出する光センサを有する。印刷物検出部２０１は、光センサの検出する光量から印刷物の置かれた位置と大きさを検出する。具体的には、画面上（光センサ上）に印刷物を置くと、印刷物の陰に隠れた領域の光センサに入射する照明光は少なくなる。そのため、印刷物の陰に隠れた領域に配置された光センサが検出する光量は、印刷物が置かれていない領域に配置された光センサが検出する光量より小さくなる。印刷物検出部２０１は、光センサの検出する光量が周囲に比べて小さい領域を印刷物が置かれた領域として検出する。そして、印刷物検出部２０１は、検出結果（本実施例では、印刷物の置かれた位置と大きさを表す信号）を背景色画像生成部１０６に出力する。
なお、印刷物検出部２０１による検出方法は上述した方法に限らない。例えば、カメラ（撮影装置）によって表示部１０７の画面を撮影し、該撮影によって得られた画像から画面上に置かれた印刷物の位置及び大きさを検出してもよい。画面上に置かれた印刷物の位置及び大きさを検出できればどのような方法であってもよい。
【００３１】
背景色画像生成部２０６は、印刷物検出部２０１の検出結果に応じて、背景色画像を生成する。具体的には、背景色画像生成部２０６は、印刷物を囲むように背景色画像を生成する。即ち、印刷物検出部２０１で検出された位置に、検出された大きさより大きい背景色画像（第２背景画像）を生成する。背景色画像の色は、ウィンドウ生成部１０５から送
信された背景領域１１２の色と同じ色に設定される。そして、背景色画像生成部２０６は、背景色画像を含む映像信号（ウィンドウ生成部１０５からの映像信号に背景色画像のデータが合成された映像信号）を表示部１０７に出力する。
【００３２】
以下、図６のフローチャートを参照して、表示部１０７に表示された表示画像と表示部１０７の画面上に置いた印刷物をユーザが比較する際の動作の流れについて説明する。
ステップ２１〜２３は、実施例１（図３）のステップＳ１１〜１３と同様のため説明は省略する。図７（Ａ）は、ステップ２３直後に表示部１０７に表示される映像の一例を示す。図７（Ａ）は図４（Ａ）と同様のため、説明は省略する。
【００３３】
次に、ステップ２４において、ユーザが、画像１が印刷された印刷物２を表示部１０７の画面上に置く（図７（Ｂ））。
そして、ステップ２５において、印刷物検出部２０１が、印刷物２の位置及び大きさを検出し、その検出結果を背景色画像生成部２０６に出力する。
次に、ステップ２６において、背景色画像生成部２０６が、印刷物検出部２０１で検出された位置に、印刷物検出部２０１で検出された大きさより大きい背景色画像を生成する。即ち、背景色画像生成部２０６が、印刷物２を囲むように背景色画像を生成する。
【００３４】
図７（Ｃ）は、背景色画像生成部２０６が背景色画像を生成した後の表示部１０７の状態の一例（ステップ２６直後の画面上の状態の一例）を示す。図７（Ｃ）に示すように、背景色画像１２０は、印刷物２を囲むように表示されている。また、背景色画像１２０の色は、背景領域１１２の色（Ｒ＝１２８，Ｇ＝１２８，Ｂ＝１２８）と同じにされる。そのため、画像１の背景色と印刷物２の背景色が一致する。
【００３５】
以上述べたように、本実施例によれば、実施例１と同様に、印刷物と表示画像の色を正確に比較することができる。また、本実施例によれば、画面上に置かれた印刷物の位置及び大きさに応じて、該印刷物の背景となる第２背景画像が生成される。それにより、ユーザは位置を意識することなく印刷物を画面上に置くことができるため、ユーザの利便性を向上することができる。
なお、本実施例では、印刷物の位置と大きさを検出するものとしたが、印刷物の大きさが予め分かっている場合（例えば、印刷物の大きさと表示画像の大きさが同じであることが前提の場合）には、印刷物の大きさは検出しなくてもよい。その場合には、印刷物の位置のみを検出し、検出された位置に所定の大きさの第２背景画像を生成してもよい。
【００３６】
＜実施例３＞
以下、本発明の実施例２に係る画像処理装置について詳細に説明する。本実施例では、画像処理装置が、２つの表示部に映像信号を出力する。以下、実施例１と異なる点を中心に説明する。
図８は、本実施例に係る画像処理装置の機能構成の一例を示すブロック図である。実施例１と同じ機能については同じ符号を付し、その説明は省略する。
【００３７】
ＣＰＵ３０３は、実施例１のＣＰＵ１０３と同様にＧＵＩを生成する。そして、該ＧＵＩをウィンドウ生成部１０５及び背景色画像生成部１０６に出力する。
ウィンドウ生成部３０５は、映像信号を表示部３０７に出力する点以外は、実施例１のウィンドウ生成部１０５と同様の機能を有する。
背景色画像生成部３０６は、実施例１の背景色画像生成部１０６と同様に背景色画像を生成する。そして、背景色画像のデータとＣＰＵ３０３からの映像信号とを、ＣＰＵ３０３からの映像信号に基づく映像上に背景色画像が重なるように合成し、映像信号として表示部３０１に出力する。即ち、本実施例では、第１背景画像が付加された表示画像と第２背景画像とが、それぞれ異なる表示装置に出力される。
表示部３０７，３０１は、それぞれ、実施例１の表示部１０７と同様の表示装置である。具体的には、表示部３０７は、ウィンドウ生成部３０５から出力された映像信号に基づく映像を表示し、表示部３０１は、背景色画像生成部３０６から出力された映像信号に基づく映像を表示する。
【００３８】
以下、図９のフローチャートを参照して、表示部３０７に表示された画像と表示部３０１の画面上に置いた印刷物をユーザが比較する際の動作の流れについて説明する。
まず、ステップ３１において、ユーザは、操作部１０１を用いて、表示部３０７に表示されたウィンドウ１１０のメニューバーを操作し、表示画像生成領域１１１に生成する画像１を表示画像として選択する。
ステップ３２，３３は、実施例１（図３）のステップ１２，１３と同様のため、説明は省略する。
図１０（Ａ）は、ステップ３３直後の表示部３０７，３０１の状態の一例を示す。図１０（Ａ）に示すように、表示部３０７に図４（Ａ）と同様のウィンドウ１１０が表示される。
【００３９】
図９のステップ３４は、実施例１（図３）のステップ１４と同様のため、説明は省略する。
図１０（Ｂ）は、ステップ３４直後の表示部３０７，３０１の状態の一例を示す。図１０（Ｂ）に示すように、表示部３０１に背景色画像１２０が表示される。
【００４０】
図９のステップ３５では、ユーザが、画像１が印刷された印刷物２を表示部３０１に表示されている背景色画像１２０上に置く。
図１０（Ｃ）は、ステップ３５直後の表示部３０７，３０１の状態の一例を示す。図１０（Ｃ）に示すように、表示部３０７に表示された画像１の周囲には、背景領域１１２が位置し、表示部３０１の画面上に置かれた印刷物２の周囲には、背景色画像１２０が位置する。背景領域１１２と背景色画像１２０の色は、いずれも、Ｒ＝１２８，Ｇ＝１２８，Ｂ＝１２８である。即ち、画像１の背景色と印刷物２の背景色が一致する。
【００４１】
以上述べたように、本実施例によれば、画像を表示する表示装置と、ユーザが印刷物を置く表示装置が異なる場合において、実施例１，２と同様に、印刷物と表示画像の色を正確に比較することができる。
なお、表示部３０７と表示部３０１は互いに独立した表示装置であってもよいし、１つの装置に設けられた表示装置（表示パネル）であってもよい。画像が表示される画面と、ユーザが印刷物を置く画面とが異なっていればよい。
【符号の説明】
【００４２】
１０５  ウィンドウ生成部
１０６  背景色画像生成部
【図１】
0005590995.tif 000002
【図２】
0005590995.tif 000003
【図３】
0005590995.tif 000004
【図４】
0005590995.tif 000005
【図５】
0005590995.tif 000006
【図６】
0005590995.tif 000007
【図７】
0005590995.tif 000008
【図８】
0005590995.tif 000009
【図９】
0005590995.tif 000010
【図１０】
0005590995.tif 000011